(57)【要約】【課題】遊戯球放出口からステージに放出された遊戯球がステージで失速することが少なくなるようにする。【解決手段】センター役物９は、ステージ１１を備えると共に、このステーの一方の側部１０ａに設けられた遊戯球放出口１２ｂとを備えている。そして、前記ステージ１１において遊戯球５が向きを変更する部分（両端部）に、遊戯球５の球速を維持するゴムからなる球速維持部材１４、１５を設けている。【選択図】  図１
2004329549.tif 000002
【特許請求の範囲】
【請求項１】
ステージを備えると共に、このステージの少なくもと一方の側部に設けられた遊戯球放出口とを備え、遊戯球が前記遊戯球放出口からステージに放出されて転動する構成のものにおいて、
前記ステージにおいて遊戯球が向きを変更する部分に、前記遊戯球の球速を維持する球速維持部材を設けたことを特徴とする遊技機のセンター役物。
【請求項２】
球速維持部材は、ステージにおける球技球放出口と反対側の端部に設けられていることを特徴とする請求項１記載の遊技機のセンター役物。
【請求項３】
球速維持部材は、ステージにおける球技球放出口側の端部と、ステージにおける球技球放出口とは反対側の端部とにそれぞれ設けられていることを特徴とする請求項１記載の遊技機のセンター役物。
【請求項４】
球速維持部材は弾性体もしくは弾性体を含んで構成されていることを特徴とする請求項１記載の遊技機のセンター役物。
【請求項５】
弾性体はばねであることを特徴とする請求項４記載の遊技機のセンター役物。
【請求項６】
弾性体はゴムであることを特徴とする請求項４記載の遊技機のセンター役物。
【発明の詳細な説明】
【０００１】
【発明の属する技術分野】
本発明は、ステージを備えた遊技機のセンター役物に関する。
【０００２】
【従来の技術】
従来より、遊技機には、センター役物を備えたものが周知である。このセンター役物は、例えば、表示部を取り囲む枠部と、この枠部に設けられたワープと、前記枠部の底部に設けられ前記ワープの出口つまり遊戯球放出口から放出された遊戯球が転がるステージとを備えている（例えば特許文献１）。上記遊戯球はステージを転がって例えば前面側へ落下する。この部分下方には作動口が設けられている。この作動口に遊戯球が入ると、例えば大当たり判定のためのきっかけとされるものである。
【０００３】
【特許文献１】
特開昭１１−７６５２０号公報
【０００４】
【発明が解決しようとする課題】
ところが、上述の従来のものではステージの一端側の遊戯球放出口からステージに放出された遊戯球が、ステージの他端側へ転動してこの他端の側面に当たるとそこで失速することがあり、左右への往復転動が少なく、つまり、変化が乏しく、興趣に欠けることがあった。
【０００５】
本発明は上記事情に鑑みてなされたものであり、その目的は、遊戯球放出口からステージに放出された遊戯球がステージで失速することが少なくて興趣を高めることができる遊技機のセンター役物を提供するにある。
【０００６】
【課題を解決するための手段】
請求項１の発明は、ステージを備えると共に、このステージの少なくもと一方の側部に設けられた遊戯球放出口とを備え、遊戯球が前記遊戯球放出口からステージに放出されて転動する構成のものにおいて、
前記ステージにおいて遊戯球が向きを変更する部分に、前記遊戯球の球速を維持する球速維持部材を設けたことを特徴とするものである。
【０００７】
これによれば、遊戯球がステージで向きを変更する部分に当たったような場合でも、その部分に球速維持部材が存在するから、遊戯球の球速が極力維持されようになり、ステージでの遊戯球の動きに変化が期待できる。
【０００８】
この場合、球速維持部材は、ステージにおける球技球放出口と反対側の端部に設けると良い（請求項２の発明）。このようにすると、遊戯球が最初に向き変更するときにおいて失速することがなく、有効に球速を良好に維持できる。
【０００９】
また、球速維持部材は、ステージにおける球技球放出口側の端部と、ステージにおける球技球放出口とは反対側の端部とにそれぞれ設けるようにしても良い（請求項３の発明）。このようにすると、ステージ両端での遊戯球の失速が少なく、遊戯球の複数回の往復転動が期待できる。
【００１０】
さらにまた、球速維持部材は弾性体もしくは弾性体を含んで構成すると良い（請求項４の発明）。このようにすると、外部エネルギーを付加せずに遊戯球の球速を維持できる。
【００１１】
また、弾性体をばねから構成しても良く（請求項５）、さらには、弾性体をゴムから構成しても良い（請求項６）。
【００１２】
【発明の実施の形態】
以下、本発明をパチンコ機に適用した第１の実施例につき図１ないし図３を参照して説明する。図２に示すように、パチンコ機１の遊戯盤２には作動口３及び大入賞口４が設けられており、遊戯盤２は遊戯領域を構成している。作動口３は、遊戯球５（図１参照）の通路を備えており、その通路入口には羽根６が開閉可能に支持されている。
【００１３】
大入賞口４の前にはシャッタ７が設けられている。このシャッタ７は図示しないソレノイドにより作動させられて大入賞口４を開閉する。
【００１４】
遊戯盤２の中央部分（作動口３の上方）には、可変表示装置としての特別図柄表示装置（以下単に表示装置という）８が組み込まれている。この表示装置８では、図柄変動が、遊戯球５の作動口３への入賞に基づいて開始させられる。この場合、図柄が大当たり図柄となると、大入賞口４が開放し、大当たりの状態となり、より多くの賞球を獲得することが可能となる。
【００１５】
上記表示装置８を取り囲むようにセンター役物９が設けられている。このセンター役物９は、図１に示すように、枠部１０及びステージ１１を備えて構成されている。枠部１０は前後に比較的長い形状をなしており、左右の側部１０ａ、１０ｂ、上部１０ｃ及び下部１０ｄからなる。この下部１０ｄの上面がステージ１１を構成している。
【００１６】
左側部１０ａにはワープ通路１２が形成されており、そのワープ通路入口たる遊戯球入口１２ａは左側部１０ａの前端部に張り出した形態に形成されている。そしてワープ通路出口たる遊戯球放出口１２ｂは、この左側部の奥側下端にステージ１１に向けて開口している。
【００１７】
ステージ１１は前側へ向けて僅かに下降傾斜しており、このステージ１１の前段に球落下案内部１３が形成されている。この球落下案内部１３の中央部には円弧凹部１３ａが形成され、その左右両側の前端部には球落下阻止用のリブ１３ｂが形成されている。上記円弧凹部１３ａのほぼ真下に前記作動口３が位置する。
【００１８】
前記ステージ１１には例えば２つの球速維持部材１４、１５が設けられている。一方の球速維持部材１４は、遊戯球５が向きを変更する部分に設けられており、具体的には、ステージ１１における遊戯球放出口１２ｂとは反対側の端部（右側部１０ｂ側の端部）に設けられ、また他方の球速維持部材１５は遊戯球放出口１２ｂ側の端部（左側部１０ａ側の端部）に設けられている。
【００１９】
一方の球速維持部材１４は、弾性体たとえばゴムから構成されていて、前方向へ向かうに従って幅広となる形状をなしている。従って、ステージ１１側に向く面１４ａは、前側ほど内方に張り出す形態となっている。
【００２０】
また、他方の球速維持部材１５も、ゴムから構成されていて、前方向へ向かうに従って幅広となる形状をなし、ステージ１１側に向く面１５ａは、前側ほど内方へ張り出す形態となっている。つまり、各球速維持部材１４、１５の内面は、遊戯球５がステージ１１前端に落ちにくい角度（向き）となっている。
【００２１】
上記構成においては、ワープ通路１２に入った遊戯球５が遊戯球放出口１２ｂからステージ１１に放出されると、例えば、図１に矢印Ａで示すように転動して、遊戯球放出口１２ｂと反対側である一方の球速維持部材１４に当たり、ここでこの球速維持部材１４の弾力性により球速が極力衰えないように反発される。この後、遊戯球５は、遊戯球放出口１２ｂ方向へ例えば矢印Ｂのように転動し、他方の球速維持部材１５に当たり、ここでも反発される。
【００２２】
このような遊戯球５の動きは、遊戯球放出口１２ｂからの遊戯球５の放出初期速度や方向によってまちまちであるが、一方の球速維持部材１４に当たることで球速が極力維持され（失速することがなく）、ステージ１１で左右へ往復転動することが期待できる。このため、ステージ１１から球落下案内部１３への落ち方もまちまちである。なお、ステージ１１で転動した遊戯球５は、最終的に球落下案内部１３のリブ１３ｂ、１３ｂの間（特には円弧凹部１３ａ）から落下し、作動口３に入るものもある。
【００２３】
このような本実施例によれば、ステージ１１において遊戯球が向きを変更する部分に、遊戯球５の球速を維持する球速維持部材１４、１５を設けたから、遊戯球５がその向き変更部分である球速維持部材１４、１５に当たって向き変更される場合でも、遊戯球５の球速が極力維持されようになり、ステージ１１での遊戯球５の動きに変化が多様化するとともに、ステージ１１での滞留時間も長い。
【００２４】
この場合、球速維持部材１４をステージ１１における球技球放出口１２ｂと反対側の端部に設けているから、このようにすると、遊戯球５が最初に向き変更するときにおいて失速することがなく、球速を極力維持できる。
【００２５】
そして、球速維持部材１５を、ステージ１１における遊戯球放出口１２ａとは反対側の端部にも設けたから、ステージ１１両端での失速が少なく、遊戯球５の複数回の往復転動が期待できる。
【００２６】
さらにまた、球速維持部材１４、１５を弾性体であるゴムにより構成したから、ゴム自身の弾性により球速を維持できるから、外部エネルギーを付加せずに遊戯球５の球速を維持できる。
【００２７】
図４は本発明の第２の実施例を示しており、この実施例においては、センター役物２０において、ステージ２１は、上側に凸となる円弧状をなし、そして全体的に前側へ下降傾斜している。このステージ２１の両側に位置する側部２２、２３上部にはワープ通路２４ａ、２５ａを構成するワープ構成体２４、２５が設けられている。この場合、そのワープ通路２４ａ、２５ａの遊戯球放出口２４ｂ、２５ｂはステージ２１両端より若干高い位置にある。そして、この遊戯球放出口２４ｂ、２５ｂとステージ２１両端との間には、傾斜するガイド部２２ａ、２３ａと球速維持部材２６、２７の斜面部２６ａ、２７ａが連続する斜面状に設けられている。
【００２８】
球速維持部材２６、２７はいずれも板ばねから構成されており、垂直板部２６ｂ、２７ｂの上端部から前記斜面部２６ａ、２７ａが形成されている。そしてそれら垂直板部２６ｂ、２７ｂが取付部材２８、２９により側部２２、２３内面に固定されている。
【００２９】
上記構成において、例えば、遊戯球放出口２４ａから遊戯球５が放出されると、ガイド部２２ａ、球速維持部材２６の斜面部２６ａを経てステージ２１に至って矢印Ｃ方向へ転動する。そして、球速維持部材２７の斜面部２７ａに当たり、矢印Ｄ方向へ方向転換する。このとき、球速維持部材２７のばね性（弾性）により球速が極力維持されたまま方向転換する。そして、もう一つの球速維持部材２６に当たってまた方向転換する。このときも球速が極力維持される。このように遊戯球５がステージ２１を往復転動しながら前側へ移動し前端から落下する。
【００３０】
このような実施例においても、ステージ２１両端での遊戯球５の失速が少なく、遊戯球５の複数回の往復転動が期待できる。
【００３１】
次に図５は本発明の第３の実施例を示しており、この実施例においては、球速維持部材３１、３２の構成が第２の実施例と異なる。すなわち、球速維持部材３１は、板材（ばね性は無い）３１ａと、弾性体である捻りコイルばね３１ｂとから構成されている。つまり球速維持部材３１は弾性体を含んで構成されている。もう一つの球速維持部材３２も同様の構成であり、板材３２ａと捻りコイルばね３２ｂとから構成されている。この実施例においても第２の実施例と同様の効果を得ることができる。
【００３２】
なお、本発明は上記した各実施例に限定されるものではなく、ステージ形状や、球速維持部材の形状、弾性体の形態、ゴムの形状、ばねの種類などについて種々変更して実施できるものである。
【００３３】
【発明の効果】
本発明は以上の説明から明らかなように、遊戯球放出口からステージに放出された遊戯球がステージで失速することが少なくて興趣を高めることができる。
【図面の簡単な説明】
【図１】本発明の第１の実施例を示すセンター役物の斜視図
【図２】パチンコ機の遊戯盤を示す正面図
【図３】センター役物の正面図
【図４】本発明の第２の実施例を示すセンター役物の縦断正面図
【図５】本発明の第３の実施例を示す図４相当図
【符号の説明】
１はパチンコ機（遊技機）、５は遊戯球、９はセンター役物、１１はステージ、１２はワープ通路、１２ｂは遊戯球放出口、１４、１５は球速維持部材、２６、２７、３１、３２は球速維持部材、３１ａ、３２ａは板材、３１ｂ、３２ｂは捻りコイルばね（弾性体）を示す。
【図１】
2004329549.tif 000003
【図２】
2004329549.tif 000004
【図３】
2004329549.tif 000005
【図４】
2004329549.tif 000006
【図５】
2004329549.tif 000007